(57)【要約】      （修正有）【課題】祝賀の雰囲気を従来以上盛り上げられるようにした、組み立てが容易で安価な祝賀用キャンドル・ホルダーを提供する。【解決手段】上面に多数の蝋燭差込口１２０を有し、下面略中央部に突起を有するプレート１００と、上面に前記突起と嵌合し得る穴を有すると共に３本以上の脚２２０を有する支持台とからなる組み立て式祝賀用キャンドル・ホルダー。前記プレートの上面にはメッセージ表示部１５０が設けられている。【選択図】図３
0003103142.tif 000002
【実用新案登録請求の範囲】
【請求項１】
上面に多数の蝋燭差込口を有し下面略中央部に突起を有するプレートと、上面に前記突起と嵌合し得る穴を有すると共に３本以上の脚を有する、前記プレートを支持するための支持台とからなる組立て式キャンドル・ホルダーであって、前記プレートの上面にメッセージ表示部を有することを特徴とする祝賀用キャンドル・ホルダー。
【請求項２】
前記脚の根元が補強された補強部となっている、請求項１に記載された祝賀用キャンドル・ホルダー。
【請求項３】
前記メッセージ表示部がプレート上面の略中央部に設けられている、請求項1又は２に記載された祝賀用キャンドル・ホルダー。
【請求項４】
前記脚の先端が尖っている、請求項１〜３の何れかに記載された祝賀用キャンドル・ホルダー。
【請求項５】
前記プレートの平面形状がハート型である、請求項１〜４の何れかに記載された祝賀用キャンドル・ホルダー。
【請求項６】
前記プレートの平面形状が星型である、請求項１〜４の何れかに記載された祝賀用キャンドル・ホルダー。
【考案の詳細な説明】
【技術分野】
【０００１】
本考案は祝賀用キャンドル・ホルダーに関し、特に、祝賀の雰囲気を演出し盛り上げるのに好適な、安価で簡便に組み立てる事のできる祝賀用キャンドル・ホルダーに関する。
【背景技術】
【０００２】
一般に、キャンドル・ホルダーはロウが下に落ちるのを防止して、蝋燭を配置したいところに容易に設置出来るようにする器具である。近年では、例えば誕生パーティーや特別な記念日に、年または記念日を象徴する数字に合わせてケーキの上に蝋燭を灯し、これを吹き消すことによって祝賀の雰囲気を演出し、盛上げることが行われてきた。
しかしながら、上記のようにケーキの上に蝋燭を直接差し込んで使うとロウがケーキの上に落ちることとなり、衛生上好ましくないだけでなく、ロウが落ちたところは食べることが出来ず捨てなければならないという欠点もあった。
【０００３】
かかる欠点を解消するために、図１及び図２で図示した様な“ケーキ用キャンドル・ホルダー”が提案された（特許文献１）。このケーキ用キャンドル・ホルダー（１０）は、ベース（１１）の上面に蝋燭（１２）を差し込めるように蝋燭差込口（１３）を形成し、前記ベースの端に蝋燭（１２）のロウが垂れ落ちるのを防ぐ為のリブ（１７）を設けると共に該ベース（１１）の下面に多数の結合孔（２２）を形成し、ベース（１１）をケーキに安定した状態で維持出来る様に支持バー（２０）、（２１）を前記結合孔（２２）に差し込むことによって、ロウ（１５）がケーキの上に落ちるのを防ぐ様にしたものである。
【特許文献１】大韓民国公開実用新案公報  第1998-024768号
【０００４】
しかしながら、上記した従来の“ケーキ用キャンドル・ホルダー”は、ロウがケーキの上に垂れ落ちないようにリブ（１７）を設けたものの、実際には、蝋燭に火をつけたあとロウが垂れ落ちる程十分な時間を置くことなく、すぐ火を吹き消すことが多い。また火を消すまでに時間がかかる場合でも、ロウは常温では比較的早く固まる性質を持っているので、実際にはロウがケーキの上に垂れ落ちる前に固まることが多い。したがって、事実上リブは無用の長物であり、製造コストを押し上げるに過ぎないという欠点があった。
即ち、上述したキャンドル・ホルダーは、通常、ケーキを購入した消費者にサービスとして付けるため製造コストを節減する必要があったにも関わらず、リブを形成するためにより多くの材料を使うので、キャンドル・ホルダーの製造コストが上昇するという欠点があった。
【０００５】
さらに、上述した従来の支持バー（２０）、（２１）は、ベース（１１）の下面に多数設けられた結合孔（２２）と結合することによってベース（１１）を支持することになる。このことは、ベース（１１）の下面に支持バー（２０）、（２１）を結合させるためだけに有効な結合孔（２２）を設け、該結合孔（２２）に、バラバラに用意されている支持バー（２０）、（２１）をイチイチ結合しなければならないので、生産工程と製作過程が煩雑になるという欠点があった。しかも、この様にして使用される支持バー（２０）、（２１）は、ベース（１１）を支持するために使った後は単に捨てられることになるので、資源をムダ遣いすることになっていた。
また、単純に蝋燭を差し込む為だけに使われたホルダーは、例えば誕生日の場合に、誕生日を表す特別な模様や文言がベースに表示されないため、せっかくの誕生パーティーを祝うに足る雰囲気を醸すには至らなかった。
【０００６】
更に、これまでは、誕生日祝いの定番として主にケーキがお祝い用として使われてきたが、最近は、生活の多様化に伴い、子供達はケーキよりはピザの方を好むことが多くなってきた。従って、ケーキだけでは誕生日祝いなどに対応しきれないだけでなく、ケーキでお祝いをする場合には、食べ残して結局は捨てるという無駄もしばしばあった。
【考案の開示】
【考案が解決しようとする課題】
【０００７】
本考案は上記の様な欠点を解決するために案出された。
従って本考案の第１の目的は、プレートにメッセージ表示部を設け、祝賀文字を表示することによって祝賀の雰囲気を一層盛り上げられるようにした、祝賀用キャンドル・ホルダーを提供することにある。
本考案の第２の目的は、プレートから無駄なリブをなくすと共に、ベースと支持バーを一体に形成して支持台とし、簡便に前記プレートと支持台とを結合することを可能にすることにより製造費用を節減した、祝賀用キャンドル・ホルダーを提供することにある。
本考案の第３の目的は、子供達の好物であるピザの上に差し込んで使うことができると共に、キャンドル・ホルダーとして使い終わった後に、分離してフォークの代用として使うこともできる、祝賀用のキャンドル・ホルダーを提供することにある。
【課題を解決するための手段】
【０００８】
本考案の上記の諸目的は、上面に多数の蝋燭差込口を有し下面略中央部に突起を有するプレートと、上面に前記突起と嵌合し得る穴を有すると共に３本以上の脚を有する、前記プレートを支持するための支持台とからなる組立て式キャンドル・ホルダーであって、前記プレートの上面にメッセージ表示部を有することを特徴とする祝賀用キャンドル・ホルダーによって達成された。
【考案の効果】
【０００９】
本考案は誕生日を祝うことが出来るように蝋燭差込口を具備しただけではなく、プレート上面にメッセージ表示部を有するので祝賀の雰囲気を高める効果もある。また一体に形成された支持台は容易にプレートと結合することができるだけでなく、これによって構成する部品点数が少なくなるので、製造単価を下げ、生産費用を節減させる効果もある。
また、支持台の脚を細くすれば、誕生日の祝賀用に使われるケーキの代わりに表面が硬いピザを使用する場合にも差込んで使うことが出来るので、子供達の関心を引くのに好都合であるだけでなく、使用後の支持台を、ピザを食べるときのフォークの代わりに使うこともできて便利である。
【考案を実施するための最良の形態】
【００１０】
以下に、本考案を実施例に基づいて更に詳述するが、本考案はこれによって限定されるものではない。
図３は本考案の一実施例であり、プレートの上面に蝋燭とメッセージ表示部（１５０）に祝いの言葉（１５５）が表示され、ピザの上に差し込まれる状態を示す斜視図である。図中、符合（１００）はプレート、（１２０）は蝋燭差込口、（１２５）は蝋燭、（２００）は支持台、（３００）はピザである。
本考案の祝賀用キャンドル・ホルダーは、図３で示したようにプレート（１００）の上面に多数の蝋燭差込口（１２０）を有しており、年または記念日を象徴する数字に合わせて、蝋燭（１２５）が差し込まれる。上記プレート（１００）の端にリブはなく、下面には支持台（２００）が結合され、ピザ（３００）のような誕生日のお祝い用食品類の上に、安定した状態でこの祝賀用キャンドル・ホルダーを維持することが出来る。
【００１１】
上記した蝋燭差込口（１２０）は、例えば、誕生日の祝賀用として使用出来るような数、即ち、長い蝋燭を１０歳、短い蝋燭を１歳と認知する場合、７９歳の人を基準にして、７+９＝１６個以上の蝋燭差込口（１２０）が設けられる。この蝋燭差込口（１２０）は蝋燭（１２５）が差し込めるよう上部が開口され、差込まれた蝋燭（１２５）を支持できるように底面を有する。
即ち、誕生日を祝うためのパーティーもしくは集いがあった場合、祝賀用の食品類の上に蝋燭（１２５）を直接差し込まないで、本考案の祝賀用キャンドル・ホルダーの蝋燭差込口（１２０）に、年に合わせて蝋燭（１２５）を差し込んで火を灯すことにより、誕生パーティーの雰囲気を高めると共に食品類の上に蝋燭（１２５）のロウが垂れ落ちるのを防ぐ事ができる。この時使用する食品類としては、子供達の場合にはピザ（３００）を使うことが好ましい。
【００１２】
図４は本考案の祝賀用キャンドル・ホルダーにおけるプレート（１００）と支持台（２００）の分離斜視図であり、プレート（１００）の結合突起（１１０）が支持台（２００）の穴（２１０）にはめこまれ、結合される状態を表している。
図５は本考案の、別の態様を表した一部断面図であり、プレート（１００）に配される蝋燭（１２５）、及びプレート（１００）と支持台（２００）の結合形状を表している。
【００１３】
図４及び図５をもとに更に詳述すると、プレート（１００）の下面略中央には支持台（２００）と結合するための結合突起（１１０）が形成される一方、前記支持台（２００）の上面中央には該結合突起（１１０）と嵌合する穴（２１０）が形成され、前記結合突起（１１０）を該穴（２１０）に嵌合させる事によって、本考案の祝賀用キャンドル・ホルダーが組み立てられる。前記支持台（２００）はプレート（１００）を支持するための脚（２２０）を有する。
この場合、上記の脚付き支持台は一体に形成される。上記の脚（２２０）はプレート（１００）を支持するためにキジ上に立てるものであり、少なくとも３本は必要であるが、それ以上の本数としても良い。
【００１４】
また、前記脚（２２０）の根元部は、蝋燭（１２５）を差し込んだり、食品類の上にキャンドル・ホルダーを固定するときの力により、曲がったり折れたりしないように補強された補強部（２２５）となっている事が好ましい。前記脚（２２０）の端は、ピザ（３００）のように比較的に硬い食品類にも容易に差し込めるように端部を尖らせることが好ましい。このように脚（２２０）の先を細く形成することにより、祝賀用キャンドル・ホルダーとして使用した後、食べ物をとって食べるためのフォークとしての機能を持たせる事がてきる。
【００１５】
前記支持台（２００）は、上述したようにピザ（３００）のような食品類に差し込んで使うので、人体に無害な材質からなることが必要であるが、軽量で安価であり、一体成形も容易である点から、特にプラスティック製とすることが好ましい。
【００１６】
図６a、図６b、及び図６cは、本考案の祝賀用キャンドル・ホルダーの他の実施例を表した平面図であり、多様なプレートの形状を図示したものである。
図示したように、プレート（１００）の上面ほぼ中央にはメッセージ表示部（１５０）を設けて祝いの言葉（１５５）を表示出来るようし、パーティーを盛り上げる。図示したメッセージ表示部（１５０）には、誕生パーティのための祝いの言葉（１５５）を表示したが、誕生日だけではなく、他の記念日などあらゆる祝いの集まりの場にふさわしいメッセージを表示できる事は当然である。メッセージは、直接記載しても、予め記載されたメッセージを貼って表示しても良い。また、プレート（１００）の形状は、図６a、図６b、図６cで図示した様に、四角形状、ハート形状、星形状など、種々の形状にすることができ、このような多様な形状のプレート（１００）にも、メッセージ表示部（１５０）が設けられることは当然である。
【００１７】
次に、本考案の作用・効果をより詳述する。
誕生日のような記念日、特に、子供達の誕生日を祝うパーティである場合、子供達に人気のピザ（３００）を購入してその上に蝋燭（１２５）を灯し、パーティーを盛り上げていくに際し、プレート（１００）下面の略中央に形成された結合突起（１１０）を支持台（２００）の上面略中央に設けられた穴（２１０）に差し込んで本考案の祝賀用キャンドル・ホルダーを組み立て、図３ないし図５に図示したように、祝賀用に使われる例えばピザ（３００）の上に固定する。この固定は、支持台（２００）に一体に形成された多数個の脚（２２０）の先端がピザ（３００）の内部にまで入り込むことによってなされ、プレート（１００）が安定した状態に保たれる。
【００１８】
ここで、支持台（２００）に形成されたそれぞれの脚（２２０）の差し込まれる先端を細くすることにより、比較的硬いピザ（３００）にも差込みやすくすることができる。また、それぞれの脚（２２０）の根元を補強された補強部（２２５）とする事により、ピザ（３００）に差し込むための力をプレート（１００）に加えた時に、脚（２２０）が折れる事を防止する事ができる。
このように、脚と一体に形成された支持台（２００）を、結合突起（１１０）と穴（２１０）を介してプレートに結合できるので、組立工程の短縮と製造コストの低減がはかれる上、脚（２２０）を細く形成することによって、誕生日用ケーキだけではなく子供達の好物であるピザ（３００）にも使用が可能になった。
【００１９】
また、ピザ（３００）の上に配されるプレート（１００）には、誕生日を迎えた人の年に合わせ、祝賀用の蝋燭（１２５）を飾り、火を灯す運びとなる。また、このプレート（１００）の上面には蝋燭（１２５）を差し込める蝋燭差込口（１２０）と共にメッセージ表示部（１５０）が配されており、祝いの言葉や伝えたいメッセージ（１５５）を表示することができるので、これによって蝋燭（１２５）と共にパーティーの雰囲気が高められる。
【００２０】
蝋燭（１２５）を灯した後火が消されその役割を終えた本考案の祝賀用キャンドル・ホルダーは支持台ごとピザ（３００）から取除かれ、ピザ（３００）が集まった人達に食べられることになる。この時プレート（１００）と支持台（２００）を分離すれば、分離された支持台（２００）は人体に無害なプラスチック材質で形成されており、その先端は細くなっているので、フォークの代用としてピザ（３００）を食べる時に使うことができる。
本考案は以上の説明のように、具体的な実施例によって詳しく説明したが、本考案の技術的、思想範囲内で多様な変形および修正が出来るということは当業者にとって明らかであり、従ってこれらが、本願実用新案登録請求範囲に属することは明らかである。
【産業上の利用可能性】
【００２１】
本考案の祝賀用キャンドル・ホルダーは、プレート上面にメッセージ表示部を有するので祝賀の雰囲気を高める効果が従来のものより大きいだけでなく、プレートを維持する支持台と脚は一体成形されており、これによって祝賀用キャンドル・ホルダーを構成する部品点数が少なくなっているので、製造適正に優れており、産業上極めて有意義である。
【図面の簡単な説明】
【００２２】
【図１】従来のケーキ用キャンドル・ホルダーの斜視図である。
【図２】図１のA-A断面図である。
【図３】本考案の祝賀用キャンドル・ホルダーの使用態様を説明する斜視図である。
【図４】本考案の祝賀用キャンドル・ホルダーを構成するプレートと支持台を分離した状態図である。
【図５】本考案の祝賀用キャンドル・ホルダーの断面図の例である。
【図６】本考案の祝賀用キャンドル・ホルダーを構成するプレートの平面図の例であり、(a)図は四角形状、(b)図は星形形状、(c)図はハート型形状を表す。
【符号の説明】
【００２３】
１０    キャンドルホルダー
１１    ベース
１２    蝋燭
１３    蝋燭差込口
１５    ロウ
１７    リブ
２０    支持バー
２１    支持バー
２２    結合孔
１００  プレート
１１０  結合突起
１２０  蝋燭差込口
１２５  蝋燭
１５０  メッセージ表示部
１５５  祝いの言葉（メッセージ）
２００  支持台
２１０  穴
２２０  脚
２２５  補強部
３００  ピザ
【図１】
0003103142.tif 000003
【図２】
0003103142.tif 000004
【図３】
0003103142.tif 000005
【図４】
0003103142.tif 000006
【図５】
0003103142.tif 000007
【図６】
0003103142.tif 000008